(57)【要約】【課題】光源や受光部品がピックアップケースの正規の位置から位置ずれしにくくなる光ピックアップ装置及び当該光ピックアップ装置を備えた光ディスク再生装置を提供する。【解決手段】  光ピックアップ装置２１はＬＤ２８とＬＤ２８から出射されかつＣＤ２の表面で反射されたレーザ光を受光するＰＤ２９とＬＤ２８からのレーザ光をＣＤ２の表面まで導きかつＣＤ２の表面で反射されたレーザ光をＰＤ２９まで導く複数の光学部品４０，４１，４２，４３，４４とＣＤ２の径方向に移動自在に設けられたピックアップケース２７とを備えている。ピックアップケース２７はＬＤ２８、ＰＤ２９及び複数の光学部品４０，４１，４２，４３，４４を取り付けている。ピックアップケース２７はＬＤ２８とＰＤ２９とのうち少なくとも一方をピックアップケース２７の外周面の当該ピックアップケース２７に取り付けられるモータ３８との間に位置付ける位置に配置している。【選択図】図６
2011008856.tif 000002
【特許請求の範囲】
【請求項１】
光源と、
前記光源から出射されかつ光ディスクの表面で反射されたレーザ光を受光する受光部品と、
前記光源からのレーザ光を前記光ディスクの表面まで導きかつ前記光ディスクの表面で反射されたレーザ光を前記受光部品まで導く複数の光学部品と、
前記光源、前記受光部品及び前記複数の光学部品を取り付けるとともに、前記光ディスクの径方向に移動自在に設けられたピックアップケースと、を備えた光ピックアップ装置において、
前記光源と前記受光部品とのうち少なくとも一方を、前記ピックアップケースの外周面の当該ピックアップケースに取り付けられる他の部品との間に位置付ける位置に配置していることを特徴とする光ピックアップ装置。
【請求項２】
前記他の部品として、前記光学部品であるコリメータレンズを前記レーザ光の光軸方向に駆動させるコリメータレンズ駆動部と、
前記光学部品として、前記光源が出射するレーザ光と前記光ディスクの表面で反射されたレーザ光との双方を鋭角に反射させる反射部材を備え、
前記ピックアップケースは、前記ピックアップケースの外周面から前記光ディスクの径方向外周側に凸の突出形状を設け、
前記コリメータレンズ駆動部は、前記ピックアップケースの外周面において前記突出形状に隣接する位置に配置され、
前記光源及び前記受光部品は、前記突出形状に取り付けられ、
前記反射部材は、前記光源が出射するレーザ光を前記光ディスクの接線方向に反射する位置に配置されることを特徴とする請求項１記載の光ピックアップ装置。
【請求項３】
前記受光部品は、前記突出形状の前記コリメータレンズ駆動部寄りの位置に配置され、
前記光源は、前記受光部品に隣接しかつ前記受光部品よりも前記コリメータレンズ駆動部から離れた位置に配置されることを特徴とする請求項２記載の光ピックアップ装置。
【請求項４】
平面形状が四角形状の機器本体と、
前記機器本体の対角線上を移動自在に設けられかつ前記機器本体内に収容された光ディスクから情報を読み出す光ピックアップ装置と、を備えた光ディスク再生装置において、
前記光ピックアップ装置として請求項１ないし請求項４のうちいずれか一項に記載の光ピックアップ装置を備え、
前記光源と前記受光部品とのうち少なくとも一方を、前記ピックアップケースの前記機器本体の隅部寄りの位置に配置し、前記複数の光学部品を前記光源からのレーザ光及び前記受光部品に受光されるレーザ光が前記機器本体の外周面と略平行となる位置に配置したことを特徴とする光ディスク再生装置。
【発明の詳細な説明】
【技術分野】
【０００１】
本発明は、例えば、Compact DiscやＢＤ（Blu-ray Disc）などの光ディスクから情報を読み出す光ピックアップ装置及び当該光ピックアップ装置を備えた光ディスク再生装置に関する。
【背景技術】
【０００２】
ＣＤ（Compact Disk）やＤＶＤ（Digital Versatile Disc）やＢＤ（Blu-ray Disc）などの光ディスクから情報を読み出すために、従来から種々の光ピックアップ装置（例えば、特許文献１参照）が用いられてきた。
【０００３】
前述した特許文献１などに示された光ピックアップ装置は、前述したＣＤなどの光ディスクの径方向に移動自在に設けられたピックアップケースと、前記ピックアップケースに取り付けられる光源としてのレーザダイオード（以下、ＬＤと記す）と、前記ＬＤに出射されかつ前記光ディスクの表面で反射されたレーザ光を受光する受光部品としてホトダイード（ＰＤ）と、前記ピックアップケースに取り付けられた複数の光学部品とを備えている。
【０００４】
前述したＬＤ及びＰＤは、接着剤により前記ピックアップケースの外周面に取り付けられる。前記複数の光学部品は、前記ＬＤから出射されたレーザ光を前記光ディスクの表面まで導きかつ前記光ディスクの表面で反射されたレーザ光を前記ＰＤまで導く。
【０００５】
前述した構成の光ピックアップ装置は、ＬＤから出射されたレーザ光を前記複数の光学部品により前述した光ディスクの表面まで導き、当該光ディスクの表面で反射されたレーザ光をＰＤで受光して、当該光ディスクから情報を読み出す。
【先行技術文献】
【特許文献】
【０００６】
【特許文献１】特開２００５−１２２８２８号公報
【発明の概要】
【発明が解決しようとする課題】
【０００７】
前述した従来の光ピックアップ装置は、ピックアップケースの外周面に前述したＬＤ及びＰＤを接着剤により取り付けるために、当該光ピックアップ装置の組立工程において、作業員がこれらのＬＤ及びＰＤに触れやすかった。このため、光ピックアップ装置の組立工程において、前述した接着剤が硬化する前に作業員がこれらのＬＤ及びＰＤに触れてしまうと、当該ＬＤ及びＰＤが若干（少なくとも数十μｍ以上）正規の位置から移動してしまう。この場合、光ピックアップ装置は、所望の性能を発揮することが困難となるおそれがあった。
【０００８】
したがって、本発明の目的は、例えば、光源や受光部品がピックアップケースの正規の位置から位置ずれしにくくなる光ピックアップ装置及び当該光ピックアップ装置を備えた光ディスク再生装置を提供することにある。
【課題を解決するための手段】
【０００９】
前記課題を解決し目的を達成するために、請求項１に記載の本発明は、光源と、前記光源から出射されかつ光ディスクの表面で反射されたレーザ光を受光する受光部品と、前記光源からのレーザ光を前記光ディスクの表面まで導きかつ前記光ディスクの表面で反射されたレーザ光を前記受光部品まで導く複数の光学部品と、前記光源、前記受光部品及び前記複数の光学部品を取り付けるとともに、前記光ディスクの径方向に移動自在に設けられたピックアップケースと、を備えた光ピックアップ装置において、前記光源と前記受光部品とのうち少なくとも一方を、前記ピックアップケースの外周面の当該ピックアップケースに取り付けられる他の部品との間に位置付ける位置に配置していることを特徴としている。
【発明を実施するための形態】
【００１０】
以下、本発明の一実施形態にかかる光ピックアップ装置を説明する。本発明の一実施形態にかかる光ピックアップ装置は、光源と受光部品とのうち少なくとも一方をピックアップケースの外周面と他の部品との間に配置している。こうすることで、前述した他の部品により、光源と受光部品とのうち少なくとも一方に作業員が触れ難くなる。このために、光ピックアップ装置の組立工程において、光源や受光部品を取り付けるための接着剤が硬化する前に、作業員がこれらの光源や受光部品に触れてしまうことを防止でき、当該光源や受光部品が若干（少なくとも数十μｍ以上）正規の位置から移動してしまうことを防止できる。
【００１１】
また、本実施形態の光ピックアップ装置は、光学部品としてレーザ光を鋭角に反射する反射部材を備え、ピックアップケースの外周面の光ディスクの径方向に沿って外周側の凸の突出形状に光源及び受光部品を設け、更に、当該突出形状に隣接してコリメータレンズ駆動部をもうけてもよい。この場合、コリメータレンズ駆動部を光ディスクの径方向外周側に配置することで光ピックアップが光ディスクの接線方向に大型化することを防ぐとともに、コリメータレンズ駆動部により光源と受光部品とのうち少なくとも一方に作業員が触れ難くなる。さらに、反射部材により光ディスクの接線方向をレーザ光の主な光軸方向とすることで、レーザ光の光路長を確保して、異物のレーザ光の強度に対する影響を低減しながらも、ピックアップケース即ち光ピックアップ装置自体の小型化を図ることができる。
【００１２】
また、受光部品を突出形状のコリメータレンズ駆動部寄りに設け、光源を突出形状の受光部品よりもコリメータレンズ駆動部から離れた位置に設けてもよい。この場合、受光部品をコリメータレンズ駆動部と光源との間に配置することで、作業員が触れた際に正規の位置から移動し易い部品である受光部品を適切に保護できる。
【００１３】
さらに、本実施形態の光ピックアップ装置は、レーザ光が機器本体の外周面と平行になるように、複数の光学部品、光源及び受光部品を配置しても良い。この場合、ピックアップケースの外周面を機器本体の外周面と平行になるように形成することができるので、当該ピックアップケースの小型化を図ることができる。
【図面の簡単な説明】
【００１４】
【図１】本発明の一実施例にかかるＣＤプレーヤの斜視図である。
【図２】図１に示されたＣＤプレーヤのシャーシ本体及びクランプ再生ユニットなどを示す斜視図である。
【図３】図１に示されたＣＤプレーヤのクランプ再生ユニットの側面図である。
【図４】図１に示されたＣＤプレーヤの光ピックアップ装置の斜視図である。
【図５】図４に示された光ピックアップ装置の光結合部などの構成を示す斜視図である。
【図６】図４に示された光ピックアップ装置のピックアップケースと光結合部などの構成を示す平面図である。
【実施例】
【００１５】
以下、本発明の一実施例にかかる光ディスク再生装置の一例としてのＣＤプレーヤ１を、図１ないし図６に基づいて説明する。図１などに示すＣＤプレーヤ１は、移動体としての自動車のインストルメントパネル（以下、インパネと呼ぶ）などに取り付けられて、光ディスクとしてのＣＤ２（図１に示す）を一枚収容して、このＣＤ２に記録された情報を読み出（再生）して、音声として出力する装置である。ＣＤ２は、勿論、中央に孔が設けられた円板状即ちディスク状に形成されており、コンピュータなどの電子機器で読みとることのできる情報を記録した記録媒体である。
【００１６】
ＣＤプレーヤ１は、図１及び図２に示すように、機器本体３（図１に示す）と、搬送手段としての搬送ユニット５と、クランプ再生手段としてのクランプ再生ユニット６などを備えている。なお、以下、ＣＤ２の表面と搬送ユニット５のＣＤ２の搬送方向との双方と平行な図１中の矢印ＹをＣＤプレーヤ１の奥行き方向と記し、ＣＤ２の表面と平行でかつ前記奥行き方向Ｙと直交する矢印ＸをＣＤプレーヤ１の幅方向と記し、ＣＤ２の表面と奥行き方向Ｙと幅方向Ｘの全てと直交する矢印ＺをＣＤプレーヤ１の厚み方向と記す。
【００１７】
機器本体３は、平面形状が四角形状の扁平な箱状に形成され、かつ、合成樹脂や金属等からなる図１に示す外側ケース８と、図２に示すシャーシ本体９とを備えている。
【００１８】
外側ケース８は、扁平な箱状に形成されている。外側ケース８の前述したインパネに取り付けると乗員に相対する前面８ａ（図１に示す）には、ＣＤ２を出し入れ可能な挿入口１０が一つ設けられている。なお、前面８ａは、外側ケース８即ちＣＤプレーヤ１がインパネに取り付けられると、該インパネの外側に露出する外側ケース８の一つの面である。
【００１９】
挿入口１０は、外側ケース８の外壁を貫通している。挿入口１０は、内側にＣＤ２を通すことができる。挿入口１０を通して、前記ＣＤ２は、外側ケース８即ち機器本体３内に収容されたり、該機器本体３内から排出される。即ち、挿入口１０は、ＣＤ２を機器本体３に出し入れ自在とする。
【００２０】
さらに、前述した前面８ａには、表示パネル１１と、各種のスイッチ１２とが設けられている。
【００２１】
表示パネル１１は、前面８ａに露出して、使用者に対し各種の情報を表示する表示領域としての表示面を備えている。表示パネル１１は、表示面に再生中のプログラム名等の情報を表示する。
【００２２】
各種のスイッチ１２は、使用者が操作するための操作部を構成している。スイッチ１２が使用者などに操作されることによって、例えば、クランプ再生ユニット６が再生するＣＤのプログラムの選択やＣＤの出し入れなどが行われる。
【００２３】
シャーシ本体９は、図２などに示すように、複数の折り曲げられた板金などが互いに取り付けられて構成されている。シャーシ本体９は、図２及び図３に示すように、略平坦な底壁１３と、該底壁１３に間隔をおいて相対する略平坦な天井壁１５と、これらの底壁１３と天井壁１５とに連なる複数の周壁１４と、を備えている。これらの壁１３，１４，１５には、それぞれ、前記シャーシ本体９の軽量化と剛性の確保とのために、複数の開口部が設けられている。
【００２４】
搬送ユニット５は、挿入口１０の近傍に配され、かつ図示しないローラアームと、図  に示すディスクガイド１７と、を備えている。ローラアームは、モータなどの駆動源により回転駆動される搬送ローラが設けられている。ディスクガイド１７は、平板状に形成され、ローラアームと間隔をあけて配置されている。
【００２５】
前述した構成のローラアームとディスクガイド１７は、互いに接離自在に設けられ、かつ互いに近づいて互いの間にＣＤ２を挟んで、搬送ローラがモータにより回転駆動されることで、機器本体３にＣＤ２を出し入れする。
【００２６】
クランプ再生ユニット６は、図３に示すように、キャリッジシャーシ１８と、クランプアーム１９と、を備えている。キャリッジシャーシ１８は、板金などからなるシャーシ本体２０と、該シャーシ本体２０に取り付けられた図示しない回転テーブルと、シャーシ本体２０に取り付けられた光ピックアップ装置２１（図４に示す）と、を備えている。
【００２７】
シャーシ本体２０は、略平板状に形成されている。回転テーブルは、シャーシ本体２０に回転自在に支持されている。回転テーブルは、ＣＤ２の中央の孔内に侵入するとともに、シャーシ本体２０に取り付けられたスピンドルモータの駆動力によって、ＣＤ２を回転させる。光ピックアップ装置２１の構成は、後ほど説明する。
【００２８】
クランプアーム１９は、板金などからなるアーム本体２２と、クランパ２３と、を備えている。アーム本体２２は、略平板状に形成されている。キャリッジシャーシ１８のシャーシ本体２０に、挿入口１０から離れた端部を中心として回転自在に支持されている。アーム本体２２の回転中心は、シャーシ本体９の幅方向Ｘと平行である。アーム本体２２がシャーシ本体２０に近づいた状態では、シャーシ本体２０とアーム本体２２とが略平行になる。
【００２９】
クランパ２３は、回転テーブルに相対する位置に配されている。クランパ２３は、円板状に形成されているとともに、アーム本体２２に回転自在に支持されている。クランパ２３は、アーム本体２２がシャーシ本体２０と略平行な状態となると、回転テーブルとの間にＣＤ２を挟むことができる。さらに、クランプ再生ユニット６のキャリッジシャーシ１８とクランプアーム１９とは、図示しないばねなどの付勢手段により互いに近づく方向に付勢されている。
【００３０】
また、前述した構成のクランプ再生ユニット６は、図示しないゴムなどの弾性体からなるダンパと、コイルばねなどによって、前記機器本体３に対し移動自在にシャーシ本体９内に支持される。クランプ再生ユニット６は、クランプアーム１９のアーム本体２２がキャリッジシャーシ１８に回転自在に支持されることで、これらのキャリッジシャーシ１８とクランプアーム１９とが互いに接離自在に設けられている。クランプ再生ユニット６は、クランプアーム１９とキャリッジシャーシ１８とが互いに近づいて、回転テーブルとクランパ２３との間にＣＤ２を挟んで（即ち互いの間にＣＤ２を挟んでクランプし）、回転テーブル５５でＣＤを回転させ光ピックアップ装置２１で該ＣＤ２内の情報を読み出す。
【００３１】
そして、クランプ再生ユニット６は、前記自動車の走行中の振動によって機器本体３が振動しても、前記ダンパとコイルばねとによってシャーシ本体９に対し移動する。このように、前記ダンパとコイルばねなどは、前記自動車の走行中の振動などが前記ＣＤ２の情報を読み出す作業に悪影響を与えることを防止する。
【００３２】
光ピックアップ装置２１は、シャーシ本体２０に取り付けられた駆動機構２４（図４に示す）によって、機器本体３の対角線上すなわちＣＤ２の径方向に沿って移動自在に設けられている。駆動機構２４は、図示しないモータの駆動源により回転駆動されるとともに、機器本体３の対角線上すなわちＣＤ２の径方向と平行な直線状のリードスクリュー２５（図４中に二点鎖線で示す）と、当該リードスクリュー２５と平行な円柱ピン２６（図４中に二点鎖線で示す）とを備えている。
【００３３】
光ピックアップ装置２１は、図４ないし図６に示すように、ピックアップケース２７と、光源としてのレーザダイオード（以下、ＬＤと記す）２８と、受光部品としてのホトダイオード（以下、ＰＤと記す）２９と、光結合部３０とを備えている。
【００３４】
ピックアップケース２７は、リードスクリュー２５に螺合しかつ前記円柱ピン２６によりスライド自在に設けられたベース部３１と、このベース部３１に対して移動自在に設けられたレンズ部３２と、前記ベース部３１に対して前記レンズ部３２を厚み方向Ｚ及びＣＤ２の径方向に沿って移動させるアクチュエータ３３と備えている。
【００３５】
ベース部３１は、図６に示すように、前記機器本体３の外側ケース８の互いに連なる二つの外周面８ｂ（機器本体３の外周面に相当）と平行な平行面３４がその隅部に設けられた扁平な箱状に形成されている。また、ベース部３１の外周面には、ＣＤ２の径方向でかつ外周方向に凸状の突出形状５０が設けられている。なお、突出形状５０の平面形状は、三角形に形成され、前記平行面３４のうち一方が突出形状５０の外表面をなしている。レンズ部３２は、扁平な四角形状に形成されアクチュエータ３３の後述する線条弾性部材３５の先端が取り付けられて、当該線条弾性部材３５により前記ベース部３１に対して厚み方向Ｚ及びＣＤ２の径方向に沿って移動自在に支持されている。
【００３６】
アクチュエータ３３は、一端がベース部３１に取り付けられかつ他端がレンズ部３２に取り付けられた四つの線条弾性部材３５と、レンズ部３２に取り付けられかつ前記線条弾性部材３５により駆動電流が供給される平板状の一対のプリントコイル３６と、これらのプリントコイル３６と間隔をあけて相対して配置されかつ前記ベース部３１に取り付けられたマグネット３７とを備えている。前記アクチュエータ３３は、線条弾性部材３５を介してプリントコイル３６に駆動電流が供給されることで、レンズ部３２即ち後述する対物レンズ４３を厚み方向ＺとＣＤ２の径方向に移動させる。
【００３７】
前記ピックアップケース２７のベース部３１の外周面の平行面３４間でかつ機器本体３の外側に位置するとともに前記突出形状５０の隣接する位置には、後述するコリメータレンズ４２を移動させるための他の部品としてのモータ３８（コリメータレンズ駆動部に相当する）が取り付けられている。モータ３８の出力軸にはリードスクリュー３９が取り付けられ、かつこのリードスクリュー３９にはコリメータレンズ４２を保持する保持部材４８が螺合している。モータ３８は、リードスクリュー３９を回転駆動することで、コリメータレンズ４２を後述する第２プリズム４１とミラー４４との間に位置するレーザ光の光軸Ｐ（図６中に一点鎖線で示す）方向に移動させる。
【００３８】
ＬＤ２８とＰＤ２９は、互いに光軸Ｐ（図６中に一点鎖線で示す）が間隔をあけかつ互いに光軸Ｐが平行に配置され、前記ピックアップケース２７のベース部３１の外周面の平行面３４間でかつ突出形状５０に取り付けられている。ＬＤ２８とＰＤ２９とは、ピックアップケース２７のベース部３１の外周面の前記モータ３８との間に位置付けられる位置に配置されている。また、前述したＬＤ２８とＰＤ２９は、ピックアップケース２７のベース部３１の外周面の機器本体３の隅部寄りの箇所に取り付けられている。ＬＤ２８は、ＣＤ２から情報を読み取るために最適な波長のレーザ光を出射し、ＰＤ２９は、ＣＤ２の表面で反射された前述した最適な波長のレーザ光を受光する。また、前記ＰＤ２９は、突出形状５０の前記モータ３８寄りの位置に配置され、前記ＬＤ２８は、前記ＰＤ２９に隣接しかつ当該ＰＤ２９よりもモータ３８から離れた位置に配置されている。
【００３９】
光結合部３０は、図５に示すように、第１プリズム４０と、反射部材としての第２プリズム４１と、コリメータレンズ４２と、対物レンズ４３と、ミラー４４とを備えている。なお、これらの第１プリズム４０と、第２プリズム４１と、コリメータレンズ４２と、対物レンズ４３と、ミラー４４とは、勿論、特許請求の範囲に記載された光学部品をなしている。
【００４０】
第１プリズム４０は、ピックアップケース２７のベース部３１内に収容され、かつ前記ＬＤ２８及びＰＤ２９の近傍に配置されている。第１プリズム４０は、図６に示すように、その内部に前記ＬＤ２８と当該ＬＤ２８の光軸Ｐに沿って相対した反射面４５と、前記ＰＤ２９と当該ＰＤ２９の光軸Ｐに沿って相対した反射透過面４６とが設けられている。反射面４５は、ＬＤ２８から出射されたレーザ光を反射透過面４６に向かって反射する。反射透過面４６は、反射面４５からのＬＤ２８から出射されたレーザ光をＰＤ２９から離れる方向即ち第２プリズム４１に向って反射する。また、反射透過面４６は、ＣＤ２の表面で反射されて第２プリズム４１から入射したレーザ光を透過してＰＤ２９に導く。
【００４１】
第２プリズム４１は、ピックアップケース２７のベース部３１内に収容され、かつ前記第１プリズム４０の近傍でかつ当該第１プリズム４０を前記ＰＤ２９との間に挟む位置に配置されている。第２プリズム４１は、図６に示すように、その内部に反射面４７を設けている。反射面４７は、第１プリズム４０からのＬＤ２８から出射されたレーザ光をＣＤ２の接線方向即ちコリメータレンズ４２に向って反射するとともに、ＣＤ２の表面で反射されてコリメータレンズ４２から入射したレーザ光を第１プリズム４０に向って反射する。この第２プリズム４１の反射面４７のレーザ光の反射角度θ（図６に示し、反射面４７の前後のレーザ光の光軸Ｐ同士のなす角度をいう）は、９０度以下即ち鋭角となっている。即ち、第２プリズム４１の反射面４７は、ＬＤ２８が出射するレーザ光とＣＤ２の表面で反射されたレーザ光を鋭角に反射させる。このように、第２プリズム４１は、ＬＤ２８が出射するレーザ光をＣＤ２の接線方向に反射する位置に配置されている。また、第１及び第２プリズム４１は、ＬＤ２８から出射してこのＰＤ２９と第１プリズムとの間のレーザ光と、ＣＤ２の表面で反射されて第１プリズム４０とＰＤ２９との間のレーザ光との双方を前記機器本体３の外周面８ｂと平行となる位置に配置されている。
【００４２】
コリメータレンズ４２は、前記第２プリズム４１とミラー４４との間に配置され、かつ前記保持部材４８に保持されて、前記レーザ光の光軸Ｐに沿って移動自在に設けられている。コリメータレンズ４２は、ＣＤ２の厚みのばらつきによるレーザ光のＣＤ２の表面上でのぼやけを防止するために、当該レーザ光の焦点が前記ＣＤ２の表面上に位置するように、保持部材４８即ちモータ３８により移動される。
【００４３】
対物レンズ４３は、レンズ部３２のＣＤ２と相対する表面に取り付けられて、当該ＣＤ２の表面と間隔をあけて相対している。ミラー４４は、レンズ部３２内に収容され、コリメータレンズ４２からのＬＤ２８が出射したレーザ光を対物レンズ４３に向って反射するとともに、ＣＤ２の表面で反射されたレーザ光をコリメータレンズ４２に向って反射する。
【００４４】
前述した光結合部３０は、ＬＤ２８が出射したレーザ光をＣＤ２のまで導き、当該ＣＤ２の表面で反射されたレーザ光をＰＤ２９まで導く。
【００４５】
前述した構成のＣＤプレーヤ１は、挿入口１０から機器本体３内に挿入されたＣＤ２を搬送ユニット５がクランプ再生ユニット６のキャリッジシャーシ１８とクランプアーム１９との間まで搬送し、クランプ再生ユニット６がキャリッジシャーシ１８とクランプアーム１９との間にクランプして、光ピックアップ装置２１をＣＤ２の径方向に移動させてＣＤ２の所望の位置から情報を読み出す。そして、前述した構成のＣＤプレーヤ１は、再生が完了したＣＤ２を搬送ユニット５がキャリッジシャーシ１８とクランプアーム１９との間から挿入口１０を機器本体３外まで搬送する。
【００４６】
本実施例によれば、ＬＤ２８とＰＤ２９をピックアップケース２７のベース部３１の外周面と他の部品としてのモータ３８との間に配置している。このために、前述したモータ３８により、ＬＤ２８とＰＤ２９に作業員が触れ難くなる。このために、光ピックアップ装置２１の組立工程において、ＬＤ２８やＰＤ２９を取り付けるための接着剤が硬化する前に、作業員がこれらのＬＤ２８やＰＤ２９に触れてしまうことを防止でき、当該ＬＤ２８やＰＤ２９が若干（少なくとも数十μｍ以上）正規の位置から移動してしまうことを防止できる。
【００４７】
また、光結合部３０が、光学部品としてレーザ光を鋭角に反射する反射部材としての第２プリズム４１を備えている。ピックアップケース２７の外周面のＣＤ２の径方向に沿って外周側に凸の突出形状５０にＬＤ２８及びＰＤ２９を設け、更に、当該突出形状５０に隣接してモータ３８をもうけている。このために、モータ３８をＣＤ２の径方向外周側に配置することで光ピックアップ装置２１がＣＤ２の接線方向に大型化することを防ぐとともに、モータ３８によりＬＤ２８とＰＤ２９とのうち少なくとも一方に作業員が触れ難くなる。さらに、第２プリズム４１によりＣＤ２の接線方向をレーザ光の主な光軸方向とすることで、レーザ光の光路長を確保して、ＰＤ２９が受光する際のレーザ光の強度に対する異物の影響を低減しながらも、ピックアップケース２７即ち光ピックアップ装置２１自体の小型化を図ることができる。
【００４８】
また、ＰＤ２９を突出形状５０のモータ３８寄りに設け、ＬＤ２８を突出形状５０のＰＤ２９よりモータ３８から離れた位置に設けている。このために、ＰＤ２９をモータ３８とＬＤ２８との間に配置することで、作業員が触れた際に正規の位置から移動し易い部品であるＰＤ２９を適切に保護できる。
【００４９】
さらに、光ピックアップ装置２１は、レーザ光が機器本体３の外周面８ｂと平行になるように、第１及び第２プリズム４１などを配置している。このために、ピックアップケース２７の外周面を機器本体３の外周面と平行な平行面３４に形成できるので、当該ピックアップケース２７の小型化を図ることができる。また、本発明では、ＣＤ２に限らず種々の光ディスクの情報を読み出す光ディスク再生装置に適用してもよい。
【００５０】
前述した実施例によれば、以下のＣＤプレーヤ１が得られる。
【００５１】
（付記）  ＬＤ２８と、
前記ＬＤ２８から出射されかつＣＤ２の表面で反射されたレーザ光を受光するＰＤ２９と、
前記ＬＤ２８からのレーザ光を前記ＣＤ２の表面まで導きかつ前記ＣＤ２の表面で反射されたレーザ光を前記ＰＤ２９まで導く複数の光学部品４０，４１，４２，４３，４４と、
前記ＬＤ２８、前記ＰＤ２９及び前記複数の光学部品４０，４１，４２，４３，４４を取り付けるとともに、前記ＣＤ２の径方向に移動自在に設けられたピックアップケース２７と、を備えた光ピックアップ装置２１において、
前記ＬＤ２８と前記ＰＤ２９とのうち少なくとも一方を、前記ピックアップケース２７の外周面の当該ピックアップケース２７に取り付けられる他の部品３８との間に位置付ける位置に配置していることを特徴とする光ピックアップ装置２１。
【００５２】
付記によれば、ＬＤ２８とＰＤ２９をピックアップケース２７のベース部３１の外周面と他の部品としてのモータ３８との間に配置している。このために、前述したモータ３８により、ＬＤ２８とＰＤ２９に作業員が触れ難くなる。このために、光ピックアップ装置２１の組立工程において、ＬＤ２８やＰＤ２９を取り付けるための接着剤が硬化する前に、作業員がこれらのＬＤ２８やＰＤ２９に触れてしまうことを防止でき、当該ＬＤ２８やＰＤ２９が若干（少なくとも数十μｍ以上）正規の位置から移動してしまうことを防止できる。
【００５３】
前述した実施例では、ＬＤ２８とＰＤ２９の双方をピックアップケース２７の外周面のモータ３８との間に位置付けられる位置に取り付けている。しかしながら、本発明では、ＬＤ２８とＰＤ２９のうちいずれか一方をピックアップケース２７の外周面のモータ３８との間に位置付けられる位置に取り付けてもよい。
【００５４】
なお、前述した実施例は本発明の代表的な形態を示したに過ぎず、本発明は、実施例に限定されるものではない。即ち、本発明の骨子を逸脱しない範囲で種々変形して実施することができる。
【符号の説明】
【００５５】
１  ＣＤプレーヤ（光ディスク再生装置）
２  ＣＤ（光ディスク）
３  機器本体
８ａ  外周面
２１  光ピックアップ装置
２７  ピックアップケース
２８  ＬＤ（光源）
２９  ＰＤ（受光部品）
３８  モータ（他の部品、コリメータレンズ駆動部）
４０  第１プリズム（光学部品）
４１  第２プリズム（反射部材、光学部品）
４２  コリメータレンズ（光学部品）
４３  対物レンズ（光学部品）
４４  ミラー（光学部品）
【図１】
2011008856.tif 000003
【図２】
2011008856.tif 000004
【図３】
2011008856.tif 000005
【図４】
2011008856.tif 000006
【図５】
2011008856.tif 000007
【図６】
2011008856.tif 000008